(57)【要約】【課題】ユーザの意思通りの録画ビットレートを容易に設定することができる録画装置を提供する。【解決手段】マイコン２１は、録画対象番組の番組情報、記録媒体１６に録画した録画番組の録画番組情報と録画時の録画ビットレートを示す情報とリムーバブルメディア２４にダビングしたか否かを示す情報とを含む録画履歴情報、および記録媒体１６からリムーバブルメディア２４にダビングした録画番組のダビング時の条件を示す再録画情報を用いて、録画対象番組の録画ビットレートをエンコーダ１３に設定する。【選択図】図１
2009284063.tif 000002
【特許請求の範囲】
【請求項１】
放送チャンネルに含まれる番組を受信する受信手段と、
前記受信手段で受信した番組を本装置内に固定の第１の記録媒体に録画する第１の録画手段と、
前記第１の記録媒体に録画した番組である録画番組を本装置に着脱自在の第２の記録媒体に再録画する第２の録画手段と、
放送予定の複数の番組ごとの番組情報を外部から取得する番組情報取得手段と、
前記第１の記録媒体に録画した前記録画番組の録画番組情報、録画時の録画ビットレートを示す情報、および第２の記録媒体に再録画したか否かを示す情報を含む録画履歴情報と、前記第１の記録媒体から前記第２の記録媒体に再録画した前記録画番組の再録画時の条件を示す再録画情報とを前記録画番組ごとに対応させて記憶する録画履歴記憶手段と、
前記第１の記録媒体へ録画する録画対象番組の前記番組情報、前記録画履歴情報、および前記再録画情報を用いて、前記録画対象番組の録画ビットレートを設定する録画ビットレート設定手段と、
前記録画ビットレート設定手段で設定された録画ビットレートで前記録画対象番組を前記第１の記録媒体に録画するように前記第１の録画手段を制御する録画制御手段と
を備えることを特徴とする録画装置。
【請求項２】
前記録画ビットレート設定手段は、複数の条件をそれぞれ含み、互いに条件数が異なる複数の基準を用い、条件数の多いほうの前記基準から順に、当該基準を満足する前記録画番組が前記基準ごとに設定された所定数以上存在するか否かを判断し、当該基準を満足する前記録画番組が前記所定数以上存在する前記基準のうちで最も条件数の多い前記基準を満足する前記録画番組であり、かつ前記第２の記録媒体に再録画したことがある前記録画番組の再録画時の録画ビットレートを、前記録画対象番組の録画ビットレートとして設定することを特徴とする請求項１に記載の録画装置。
【請求項３】
前記複数の基準はそれぞれ、少なくとも前記録画対象番組と同じジャンルであること、および前記録画対象番組と同じ録画時間であることを条件として含むことを特徴とする請求項２に記載の録画装置。
【発明の詳細な説明】
【技術分野】
【０００１】
本発明は、放送された番組を録画する録画装置に関する。
【背景技術】
【０００２】
従来、放送された番組をハードディスク等の記録媒体に録画する際の録画ビットレートを選択設定することができる録画装置が知られている（例えば、特許文献１参照）。
【０００３】
このような録画装置において、録画ビットレートの設定は、ユーザが手動録画や予約録画を行う際に、記録媒体の残容量や、録画する番組のジャンル等を考慮して行うものであった。
【０００４】
例えば、ユーザは、映像の動きが激しいスポーツ番組や、きれいな映像で視聴したいと思う番組を録画する場合は高いビットレートを設定したり、記録媒体の残容量が少ない場合や、低ビットレートで録画しても映像が劣化しにくいアニメ番組を録画する場合は比較的低いビットレートを設定したりする。
【特許文献１】特開２００４−２６６８５７号公報
【発明の開示】
【発明が解決しようとする課題】
【０００５】
上述のように、従来の録画装置では、ユーザは様々な要素を考慮して録画ビットレートを設定する必要があり、煩雑であった。
【０００６】
本発明は上記に鑑みてなされたもので、ユーザの意思通りの録画ビットレートを容易に設定することができる録画装置を提供することを目的とする。
【課題を解決するための手段】
【０００７】
上記目的を達成するため、本発明の請求項１に係る録画装置は、放送チャンネルに含まれる番組を受信する受信手段と、前記受信手段で受信した番組を本装置内に固定の第１の記録媒体に録画する第１の録画手段と、前記第１の記録媒体に録画した番組である録画番組を本装置に着脱自在の第２の記録媒体に再録画する第２の録画手段と、放送予定の複数の番組ごとの番組情報を外部から取得する番組情報取得手段と、前記第１の記録媒体に録画した前記録画番組の録画番組情報、録画時の録画ビットレートを示す情報、および第２の記録媒体に再録画したか否かを示す情報を含む録画履歴情報と、前記第１の記録媒体から前記第２の記録媒体に再録画した前記録画番組の再録画時の条件を示す再録画情報とを前記録画番組ごとに対応させて記憶する録画履歴記憶手段と、前記第１の記録媒体へ録画する録画対象番組の前記番組情報、前記録画履歴情報、および前記再録画情報を用いて、前記録画対象番組の録画ビットレートを設定する録画ビットレート設定手段と、前記録画ビットレート設定手段で設定された録画ビットレートで前記録画対象番組を前記第１の記録媒体に録画するように前記第１の録画手段を制御する録画制御手段とを備えることを特徴とする。
【０００８】
本発明の請求項２に係る録画装置は、請求項１に記載の録画装置において、前記録画ビットレート設定手段は、複数の条件をそれぞれ含み、互いに条件数が異なる複数の基準を用い、条件数の多いほうの前記基準から順に、当該基準を満足する前記録画番組が前記基準ごとに設定された所定数以上存在するか否かを判断し、当該基準を満足する前記録画番組が前記所定数以上存在する前記基準のうちで最も条件数の多い前記基準を満足する前記録画番組であり、かつ前記第２の記録媒体に再録画したことがある前記録画番組の再録画時の録画ビットレートを、前記録画対象番組の録画ビットレートとして設定することを特徴とする。
【０００９】
本発明の請求項３に係る録画装置は、請求項２に記載の録画装置において、前記複数の基準はそれぞれ、少なくとも前記録画対象番組と同じジャンルであること、および前記録画対象番組と同じ録画時間であることを条件として含むことを特徴とする。
【発明の効果】
【００１０】
本発明の録画装置によれば、ユーザの意思通りの録画ビットレートを容易に設定することができる。
【発明を実施するための最良の形態】
【００１１】
以下、本発明の録画装置を実施するための最良の形態について、図面を参照して説明する。
【００１２】
図１は、本発明の実施の形態に係る録画装置の構成を示すブロック図である。図１に示すように本実施の形態に係る録画装置１０は、チューナ１１と、Ａ／Ｄ変換器１２と、エンコーダ１３と、バッファ１４と、データ制御部１５と、記録媒体１６と、ディスクドライブ１７と、デコーダ１８と、Ｄ／Ａ変換器１９と、ＥＰＧ（Electronic Program Guide）処理部２０と、マイクロコンピュータ（以下、マイコンと略す）２１と、記憶部２２と、受光部２３とを備える。
【００１３】
チューナ１１は、アンテナ３０を介して放送波から所望の番組を含むチャンネルの放送信号を受信し、この放送信号から抽出される映像音声信号を出力する。
【００１４】
Ａ／Ｄ変換器１２は、チューナ１１がアナログ放送用であった場合、チューナ１１から出力される映像音声信号をデジタル信号に変換する。なお、チューナ１１がデジタル放送用である場合には、Ａ／Ｄ変換器１２は必要ない。
【００１５】
エンコーダ１３は、Ａ／Ｄ変換器１２またはデジタル放送用のチューナ１１から出力されるデジタル信号の映像音声信号を、ＭＰＥＧ−２（Moving Picture Experts Group Phase 2）等の方式で圧縮処理する。
【００１６】
バッファ１４は、エンコーダ１３で圧縮処理された映像音声信号を一時的に蓄積した後、データ制御部１５に出力する。
【００１７】
データ制御部１５は、バッファ１４から出力される映像音声信号を記録媒体１６に記録する処理を行う。また、データ制御部１５は、録画装置１０に着脱自在のＤＶＤ（Digital Versatile Disc）等からなるリムーバブルメディア２４に録画する場合は、バッファ１４から出力される映像音声信号をディスクドライブ１７に出力する。また、データ制御部１５は、記録媒体１６からリムーバブルメディア２４へのダビング（再録画）時には、記録媒体１６からダビング対象の番組に対応する映像音声信号を読み出し、ディスクドライブ１７に出力する。また、データ制御部１５は、録画した番組の再生時には、記録媒体１６またはディスクドライブ１７からの映像音声信号をデコーダ１８に出力する。
【００１８】
ディスクドライブ１７は、リムーバブルメディア２４への映像音声信号の記録、およびリムーバブルメディア２４からの映像音声信号の読み出しを行う。
【００１９】
記録媒体１６は、ハードディスク等からなる録画装置１０内に固定の記録媒体であり、データ制御部１５から供給される映像音声信号を記録する。
【００２０】
デコーダ１８は、データ制御部１５から出力される映像音声信号を伸張処理してＤ／Ａ変換器１９に出力する。
【００２１】
Ｄ／Ａ変換器１９は、デコーダ１８から出力されるデジタル信号の映像音声信号をアナログ信号に変換し、外部に設けられたテレビ受像機（以下、ＴＶと略す）４０に出力する。
【００２２】
ＥＰＧ処理部２０は、アナログ放送波の垂直帰線区間（ＶＢＩ：Vertical Blanking Interval）に重畳された信号から番組情報を取得してこれを保持する。番組情報には、所定期間に放送予定の複数の番組の番組名情報、ジャンル情報、チャンネル情報、放送日情報、放送開始終了時刻情報、番組内容情報等が含まれている。
【００２３】
なお、番組情報は、デジタル放送信号に含まれるＳＩ（Service Information）データから取得してもよいし、インターネットを介してインターネットサイトから取得する等してもよい。
【００２４】
マイコン２１は、録画装置１０に設けられた各部を統括的に制御する。また、マイコン２１は、記録媒体１６に録画した番組の録画番組情報、録画時の録画ビットレートを示す情報、および当該番組をリムーバブルメディア２４にダビングしたか否かを示す情報を含む録画履歴情報を生成し、これを記憶部２２に記憶する。録画番組情報には、番組名情報、ジャンル情報、チャンネル情報、録画開始時刻情報、録画時間（長さ）を示す録画時間情報、放送日および放送曜日を示す放送日情報、放送回数情報等が含まれる。
【００２５】
また、マイコン２１は、記録媒体１６からリムーバブルメディア２４にダビングした番組のダビング時の条件を示す再録画情報を生成し、これを録画履歴情報と番組ごとに対応させて記憶部２２に記憶する。
【００２６】
受光部２３は、リモコン（図示せず）より出力される例えば赤外線を受光し、この赤外線による伝達信号を操作信号に適宜変換してマイコン２１へ出力する。
【００２７】
次に、本実施の形態に係る録画装置１０の動作について説明する。まず、記録媒体１６に録画する動作について、図２に示すフローチャートを参照して説明する。
【００２８】
ユーザ操作によりリモコンから受光部２３を介して録画を開始する指示信号が入力されると、または録画予約された番組の放送開始時刻になると、マイコン２１は、ステップＳ１０において、録画モードが自動設定モードであるか否かを判断する。
【００２９】
ここで、録画モードは、録画する際の録画ビットレートを規定するものであり、本実施の形態の録画装置１０では、一般的に録画装置に設けられるＸＰ（高画質）モード、ＳＰ（標準画質）モード、ＬＰ（長時間）モード、ＥＰ（超長時間）モード等の他に、自動設定モードが設けられている。録画モードは、ユーザにより選択設定される。
【００３０】
録画モードが自動設定モードである場合（ステップＳ１０：ＹＥＳ）、ステップＳ２０において、マイコン２１は、エンコーダ１３に録画ビットレートを自動設定する。自動設定の手順については後述する。
【００３１】
自動設定モードでない場合（ステップＳ１０：ＮＯ）、ステップＳ３０において、マイコン２１は、ユーザが選択している録画モードに対応する録画ビットレートをエンコーダ１３に設定する。
【００３２】
そして、ステップＳ４０において、マイコン２１は、録画対象の番組を含むチャンネルの放送信号を受信し、この放送信号から抽出される映像音声信号を出力するようにチューナ１１を制御する。
【００３３】
Ａ／Ｄ変換器１２は、チューナ１１から出力された映像音声信号をデジタル信号に変換して出力し、エンコーダ１３は、Ａ／Ｄ変換器１２から出力されたデジタル信号の映像音声信号を、設定された録画ビットレートで圧縮してバッファ１４に出力する。
【００３４】
バッファ１４は、エンコーダ１３から出力された映像音声信号を一時的に蓄積した後、データ制御部１５に出力する。そして、データ制御部１５は、バッファ１４から出力された映像音声信号を記録媒体１６に記録する。
【００３５】
また、マイコン２１は、記録媒体１６に録画した番組の録画番組情報および録画時の録画ビットレートを示す情報を、記憶部２２の録画履歴情報に追加する。録画番組情報に含まれる番組名情報、ジャンル情報、チャンネル情報、録画開始時刻情報、録画時間情報、放送日情報、放送回数情報は、ＥＰＧ処理部２０に保持されている番組情報から取得することができる。
【００３６】
次に、記録媒体１６に録画した番組をリムーバブルメディア２４にダビングする動作について説明する。
【００３７】
録画ビットレートの変更を伴わないダビングの場合、データ制御部１５は、マイコン２１から指示された番組に対応する映像音声信号を記録媒体１６から読み出し、ディスクドライブ１７に出力する。ディスクドライブ１７は、データ制御部１５からの映像音声信号をリムーバブルメディア２４に記録する。
【００３８】
録画ビットレートの変更を伴うダビングの場合、データ制御部１５は、マイコン２１から指示された番組に対応する映像音声信号を記録媒体１６から読み出し、デコーダ１８で非圧縮の映像音声信号に伸張させ、この非圧縮の映像音声信号をエンコーダ１３に供給する。
【００３９】
エンコーダ１３は、ユーザ操作に基づいてマイコン２１により設定されたダビング後の録画ビットレートで映像音声信号を圧縮し、バッファ１４に出力する。そして、データ制御部１５は、バッファ１４から入力される圧縮された映像音声信号をディスクドライブ１７に供給し、リムーバブルメディア２４に記録させる。
【００４０】
また、ダビング時にＣＭカットなどの編集を行う場合、データ制御部１５は、ユーザ操作に基づいてマイコン２１から指示された区間の映像音声信号を消去してディスクドライブ１７に供給し、リムーバブルメディア２４に記録させる。
【００４１】
また、マイコン２１は、ダビングした番組について、当該番組をリムーバブルメディア２４にダビングしたことを示す情報を録画履歴情報に追加するとともに、ダビング時の条件を示す再録画情報を生成し、これを録画履歴情報と番組ごとに対応させて記憶部２２に記憶する。
【００４２】
再録画情報には、ダビング時に編集を行ったか否かを示す情報、ダビング後の録画時間情報、ダビング時に録画ビットレートを変更したか否かを示す情報、ダビング時の録画ビットレートを示す情報、ダビング後のリムーバブルメディア２４の残容量を示す情報が含まれる。また、１枚のリムーバブルメディア２４に複数の番組をダビングした場合、当該番組と同じリムーバブルメディア２４にダビングした他の番組を示す情報も再録画情報に含まれる。他の番組を示す情報には、番組名情報、ジャンル情報、放送日情報、および放送回数情報が少なくとも含まれる。
【００４３】
次に、自動設定モードにおいて録画ビットレートを自動設定する手順について、図３〜図１８に示すフローチャートを参照して説明する。
【００４４】
録画処理を行う際に録画モードが自動設定モードに設定されている場合、ステップＳ１１０において、マイコン２１は、番組情報および録画履歴情報に基づいて、今回録画しようとしている録画対象番組と同じ番組名の番組を記録媒体１６に録画したことがあるか否かを判断する。録画したことがある場合（ステップＳ１１０：ＹＥＳ）、ステップＳ１２０に進み、録画したことがない場合（ステップＳ１１０：ＮＯ）、ステップＳ２８０に進む。
【００４５】
ステップＳ１２０では、マイコン２１は、番組情報および録画履歴情報に基づいて、記録媒体１６に録画した録画対象番組と同じ番組名の録画番組をリムーバブルメディア２４にダビングしたことがあるか否かを判断する。ダビングしたことがある場合（ステップＳ１２０：ＹＥＳ）、ステップＳ１３０に進み、ダビングしたことがない場合（ステップＳ１２０：ＮＯ）、ステップＳ１７０に進む。
【００４６】
ステップＳ１３０では、マイコン２１は、番組情報、録画履歴情報および再録画情報に基づいて、録画対象番組と同じ番組名の録画番組のダビング時に、録画ビットレートを変更してダビングしたか否かを判断する。録画ビットレートを変更した場合（ステップＳ１３０：ＹＥＳ）、ステップＳ１４０に進み、録画ビットレートを変更しなかった場合（ステップＳ１３０：ＮＯ）、ステップＳ２００に進む。
【００４７】
ステップＳ１４０では、マイコン２１は、番組情報、録画履歴情報および再録画情報に基づいて、録画対象番組と同じ番組名の録画番組のダビング時に編集を行ったか否かを判断する。編集を行った場合（ステップＳ１４０：ＹＥＳ）、ステップＳ１５０に進み、編集を行わなかった場合（ステップＳ１４０：ＮＯ）、ステップＳ１６０に進む。
【００４８】
ステップＳ１５０では、マイコン２１は、番組情報、録画履歴情報および再録画情報に基づいて、録画対象番組と同じ番組名の複数の録画番組を１枚のリムーバブルメディアにダビングしたか否かを判断する。１枚のリムーバブルメディアにダビングした場合（ステップＳ１５０：ＹＥＳ）、ステップＳ２５０に進み、１枚のリムーバブルメディアにダビングしなかった場合（ステップＳ１５０：ＮＯ）、ステップＳ２００に進む。
【００４９】
ステップＳ１６０では、マイコン２１は、番組情報、録画履歴情報および再録画情報に基づいて、録画対象番組と同じ番組名の複数の録画番組を１枚のリムーバブルメディアにダビングしたか否かを判断する。１枚のリムーバブルメディアにダビングした場合（ステップＳ１６０：ＹＥＳ）、ステップＳ２５０に進み、１枚のリムーバブルメディアにダビングしなかった場合（ステップＳ１６０：ＮＯ）、ステップＳ２００に進む。
【００５０】
ステップＳ１２０の判断の結果、ダビングしたことがない場合（ステップＳ１２０：ＮＯ）、ステップＳ１７０において、マイコン２１は、番組情報および録画履歴情報に基づいて、記録媒体１６に録画した録画番組の中に、図１９に示す基準１を満たす録画番組が１つ以上あるか否かを判断する。つまり、録画対象番組と同じ番組名であり、放送回数が初回以外かつ最終回以外であるという点で同じであり、さらに放送曜日、録画時間帯、放送チャンネル、ジャンル、および録画時間（長さ）がいずれも同じであるという条件を満たす録画番組が１つ以上あるか否かを判断する。
【００５１】
基準１を満たす録画番組が１つ以上ある場合（ステップＳ１７０：ＹＥＳ）、ステップＳ１８０において、マイコン２１は、録画履歴情報を参照して、基準１を満たす録画番組の録画時の録画ビットレートを、録画対象番組の録画ビットレートとしてエンコーダ１３に設定する。なお、基準１を満たす録画番組が複数ある場合、それらの録画番組の録画時に最も多く用いた録画ビットレートを採用する。それでも決まらない場合は、基準１を満たす直近の録画番組の録画時に用いた録画ビットレートを採用する。
【００５２】
基準１を満たす録画番組がない場合（ステップＳ１７０：ＮＯ）、ステップＳ１９０において、マイコン２１は、録画対象番組のジャンル情報に基づいて、ジャンルごとに予め設定されているデフォルトの録画ビットレートをエンコーダ１３に設定する。
【００５３】
ステップＳ１３０の判断の結果、録画ビットレートを変更しなかった場合（ステップＳ１３０：ＮＯ）、ステップＳ２００において、マイコン２１は、番組情報および録画履歴情報に基づいて、記録媒体１６に録画した録画番組の中に、基準１を満たす録画番組が１つ以上あるか否かを判断する。
【００５４】
基準１を満たす録画番組が１つ以上ある場合（ステップＳ２００：ＹＥＳ）、ステップＳ２１０に進む。基準１を満たす録画番組がない場合（ステップＳ２００：ＮＯ）、ステップＳ１９０に進み、マイコン２１は、デフォルトの録画ビットレートをエンコーダ１３に設定する。
【００５５】
ステップＳ２１０では、マイコン２１は、番組情報および録画履歴情報を参照して、記録媒体１６からリムーバブルメディア２４にダビングした、録画対象番組と同じ番組名の録画番組が、基準１を満たす録画番組であるか否かを判断する。基準１を満たす録画番組である場合（ステップＳ２１０：ＹＥＳ）、ステップＳ２２０に進む。基準１を満たす録画番組でない場合（ステップＳ２１０：ＮＯ）、ステップＳ１９０に進み、マイコン２１は、デフォルトの録画ビットレートをエンコーダ１３に設定する。
【００５６】
ステップＳ２２０では、マイコン２１は、番組情報、録画履歴情報、および再録画情報に基づいて、今回の録画対象番組を記録媒体１６に録画した後、当該録画対象番組と同じ番組名の録画番組がダビングされたリムーバブルメディア２４に録画対象番組をダビングした場合に、その残容量が所定時間（例えば１０分間）未満であるか否かを判断する。
【００５７】
残容量が所定時間未満である場合（ステップＳ２２０：ＹＥＳ）、ステップＳ２３０において、マイコン２１は、録画履歴情報および再録画情報を参照して、基準１を満たす録画番組のダビング時の録画ビットレートを、録画対象番組の録画ビットレートとしてエンコーダ１３に設定する。ここでは、ダビング時の録画ビットレートは録画時の録画ビットレートと同じである。なお、基準１を満たす録画番組が複数ある場合、それらの録画番組のダビング時に最も多く用いた録画ビットレートを採用する。それでも決まらない場合は、基準１を満たす直近の録画番組のダビング時に用いた録画ビットレートを採用する。
【００５８】
リムーバブルメディア２４の残容量が所定時間以上である場合（ステップＳ２２０：ＮＯ）、ステップＳ２４０において、マイコン２１は、今回の録画対象番組を記録媒体１６に録画した後、当該録画対象番組と同じ番組名の番組がダビングされたリムーバブルメディア２４に録画対象番組をダビングした場合に、その残容量が所定時間になるように録画ビットレートを決定してエンコーダ１３に設定する。
【００５９】
ステップＳ１５０の判断の結果、録画対象番組と同じ番組名の複数の録画番組を１枚のリムーバブルメディアにダビングした場合（ステップＳ１５０：ＹＥＳ）、ステップＳ２５０において、マイコン２１は、番組情報および録画履歴情報に基づいて、記録媒体１６に録画した録画番組の中に、基準１を満たす録画番組が１つ以上あるか否かを判断する。
【００６０】
基準１を満たす録画番組が１つ以上ある場合（ステップＳ２５０：ＹＥＳ）、ステップＳ２６０に進む。基準１を満たす録画番組がない場合（ステップＳ２５０：ＮＯ）、ステップＳ１９０に進み、マイコン２１は、デフォルトの録画ビットレートをエンコーダ１３に設定する。
【００６１】
ステップＳ２６０では、マイコン２１は、番組情報および録画履歴情報を参照して、記録媒体１６から１枚のリムーバブルメディア２４にダビングした、録画対象番組と同じ番組名の複数の録画番組に、基準１を満たす録画番組が含まれているか否かを判断する。基準１を満たす録画番組が含まれている場合（ステップＳ２６０：ＹＥＳ）、ステップＳ２７０に進む。基準１を満たす録画番組が含まれていない場合（ステップＳ２６０：ＮＯ）、ステップＳ１９０に進み、マイコン２１は、デフォルトの録画ビットレートをエンコーダ１３に設定する。
【００６２】
ステップＳ２７０では、マイコン２１は、録画履歴情報および再録画情報を参照して、１枚のリムーバブルメディア２４にダビングした基準１を満たす録画番組のダビング時の録画ビットレートがすべて同じであるか否かを判断する。
【００６３】
録画ビットレートがすべて同じである場合（ステップＳ２７０：ＹＥＳ）、ステップＳ２２０において、マイコン２１は、番組情報、録画履歴情報、および再録画情報に基づいて、今回の録画対象番組を記録媒体１６に録画した後、当該録画対象番組と同じ番組名の基準１を満たす複数の録画番組がダビングされたリムーバブルメディア２４に録画対象番組をダビングした場合に、その残容量が所定時間未満であるか否かを判断する。ここでは、残容量の算出には、録画番組を編集してダビングした後の録画時間を、録画対象番組のダビング時の録画時間として用いる。
【００６４】
そして、上述のステップＳ２３０の処理により、マイコン２１は、録画対象番組の録画ビットレートをエンコーダ１３に設定する。
【００６５】
録画ビットレートが異なる録画番組がある場合（ステップＳ２７０：ＮＯ）ステップＳ２４０において、マイコン２１は、今回の録画対象番組を記録媒体１６に録画した後、当該録画対象番組と同じ番組名の基準１を満たす複数の録画番組がダビングされたリムーバブルメディア２４に録画対象番組をダビングした場合に、その残容量が所定時間になるように録画ビットレートを決定してエンコーダ１３に設定する。ここでも、残容量の算出には、録画番組を編集してダビングした後の録画時間を、録画対象番組のダビング時の録画時間として用いる。
【００６６】
ステップＳ１５０の判断の結果、録画対象番組と同じ番組名の複数の番組を１枚のリムーバブルメディアにダビングしなかった場合（ステップＳ１５０：ＮＯ）、上述のステップＳ２００以降の処理により録画ビットレートが設定されるが、残容量の算出には、録画番組を編集してダビングした後の録画時間を、録画対象番組のダビング時の録画時間として用いる。
【００６７】
ステップＳ１６０の判断の結果、録画対象番組と同じ番組名の複数の番組を１枚のリムーバブルメディアにダビングした場合（ステップＳ１５０：ＹＥＳ）、上述のステップＳ２５０以降の処理により録画ビットレートが設定される。録画対象番組と同じ番組名の複数の番組を１枚のリムーバブルメディアにダビングしなかった場合（ステップＳ１６０：ＮＯ）、上述のステップＳ２００以降の処理により録画ビットレートが設定される。ここでは、リムーバブルメディア２４の残容量の算出には、編集していない録画番組のダビング後の録画時間を、録画対象番組のダビング時の録画時間として用いる。
【００６８】
ステップＳ１１０の判断の結果、録画対象番組と同じ番組名の番組を記録媒体１６に録画したことがない場合（ステップＳ１１０：ＮＯ）、ステップＳ２８０において、マイコン２１は、録画対象番組と同じジャンルの番組を記録媒体１６に録画したことがあるか否かを判断する。録画したことがある場合（ステップＳ２８０：ＹＥＳ）、ステップＳ２９０に進む。録画したことがない場合（ステップＳ２８０：ＮＯ）、ステップＳ１９０に進み、マイコン２１は、デフォルトの録画ビットレートをエンコーダ１３に設定する。
【００６９】
ステップＳ２９０では、マイコン２１は、番組情報および録画履歴情報に基づいて、記録媒体１６に録画した録画対象番組と同じジャンルの録画番組をリムーバブルメディア２４にダビングしたことがあるか否かを判断する。ダビングしたことがある場合（ステップＳ２９０：ＹＥＳ）、ステップＳ３００に進み、ダビングしたことがない場合（ステップＳ２９０：ＮＯ）、ステップＳ３４０に進む。
【００７０】
ステップＳ３００では、マイコン２１は、番組情報、録画履歴情報および再録画情報に基づいて、録画対象番組と同じジャンルの録画番組のダビング時に、録画ビットレートを変更してダビングしたか否かを判断する。録画ビットレートを変更した場合（ステップＳ３００：ＹＥＳ）、ステップＳ３１０に進み、録画ビットレートを変更しなかった場合（ステップＳ３００：ＮＯ）、ステップＳ４４０に進む。
【００７１】
ステップＳ３１０では、マイコン２１は、番組情報、録画履歴情報および再録画情報に基づいて、録画対象番組と同じジャンルの録画番組のダビング時に編集を行ったか否かを判断する。編集を行った場合（ステップＳ３１０：ＹＥＳ）、ステップＳ３２０に進み、編集を行わなかった場合（ステップＳ３１０：ＮＯ）、ステップＳ３３０に進む。
【００７２】
ステップＳ３２０では、マイコン２１は、番組情報、録画履歴情報および再録画情報に基づいて、録画対象番組と同じジャンルの複数の録画番組を１枚のリムーバブルメディアにダビングしたか否かを判断する。１枚のリムーバブルメディアにダビングした場合（ステップＳ３２０：ＹＥＳ）、ステップＳ６００に進み、１枚のリムーバブルメディアにダビングしなかった場合（ステップＳ３２０：ＮＯ）、ステップＳ４４０に進む。
【００７３】
ステップＳ３３０では、マイコン２１は、番組情報、録画履歴情報および再録画情報に基づいて、録画対象番組と同じ番組名の複数の録画番組を１枚のリムーバブルメディアにダビングしたか否かを判断する。１枚のリムーバブルメディアにダビングした場合（ステップＳ３３０：ＹＥＳ）、ステップＳ６００に進み、１枚のリムーバブルメディアにダビングしなかった場合（ステップＳ３３０：ＮＯ）、ステップＳ４４０に進む。
【００７４】
ステップＳ２９０の判断の結果、ダビングしたことがない場合（ステップＳ２９０：ＮＯ）、ステップＳ３４０において、マイコン２１は、番組情報および録画履歴情報に基づいて、記録媒体１６に録画した録画番組の中に、図１９に示す基準２を満たし、互いに同じ録画ビットレートで録画した録画番組が１つ以上あるか否かを判断する。つまり、録画対象番組と放送回数が初回である、または最終回であるという点で同じであり、また、放送曜日、録画時間帯、放送チャンネル、ジャンル、および録画時間（長さ）がいずれも同じであるという条件を満たし、かつ互いに同じ録画ビットレートで録画した録画番組が１つ以上あるか否かを判断する。なお、「放送回数」の項目は、初回や最終回では放送時間が拡大される場合があることを考慮するためのものである。
【００７５】
基準２を満たし、互いに同じ録画ビットレートで録画した録画番組が１つ以上ある場合（ステップＳ３４０：ＹＥＳ）、ステップＳ３５０において、マイコン２１は、その基準２を満たす録画番組の録画時の録画ビットレートを、録画対象番組の録画ビットレートとしてエンコーダ１３に設定する。
【００７６】
基準２を満たし、互いに同じ録画ビットレートで録画した録画番組がない場合（ステップＳ３４０：ＮＯ）、ステップＳ３６０において、マイコン２１は、番組情報および録画履歴情報に基づいて、記録媒体１６に録画した録画番組の中に、図１９に示す基準３を満たし、互いに同じ録画ビットレートで録画した録画番組が５つ以上あるか否かを判断する。つまり、録画対象番組と放送曜日、録画時間帯、放送チャンネル、ジャンル、および録画時間（長さ）がいずれも同じであるという条件を満たし、かつ互いに同じ録画ビットレートで録画した録画番組が５つ以上あるか否かを判断する。
【００７７】
基準３を満たし、互いに同じ録画ビットレートで録画した録画番組が５つ以上ある場合（ステップＳ３６０：ＹＥＳ）、ステップＳ３７０において、マイコン２１は、その基準３を満たす録画番組の録画時の録画ビットレートを、録画対象番組の録画ビットレートとしてエンコーダ１３に設定する。
【００７８】
基準３を満たし、互いに同じ録画ビットレートで録画した録画番組が５つ未満である場合（ステップＳ３６０：ＮＯ）、ステップＳ３８０において、マイコン２１は、番組情報および録画履歴情報に基づいて、記録媒体１６に録画した録画番組の中に、図１９に示す基準４を満たし、互いに同じ録画ビットレートで録画した録画番組が５つ以上あるか否かを判断する。つまり、録画対象番組と録画時間帯、放送チャンネル、ジャンル、および録画時間（長さ）がいずれも同じであるという条件を満たし、かつ互いに同じ録画ビットレートで録画した録画番組が５つ以上あるか否かを判断する。
【００７９】
基準４を満たし、互いに同じ録画ビットレートで録画した録画番組が５つ以上ある場合（ステップＳ３８０：ＹＥＳ）、ステップＳ３９０において、マイコン２１は、その基準４を満たす録画番組の録画時の録画ビットレートを、録画対象番組の録画ビットレートとしてエンコーダ１３に設定する。
【００８０】
基準４を満たし、互いに同じ録画ビットレートで録画した録画番組が５つ未満である場合（ステップＳ３８０：ＮＯ）、ステップＳ４００において、マイコン２１は、番組情報および録画履歴情報に基づいて、記録媒体１６に録画した録画番組の中に、図１９に示す基準５を満たし、互いに同じ録画ビットレートで録画した録画番組が１０個以上あるか否かを判断する。つまり、録画対象番組と録画時間帯、ジャンル、および録画時間（長さ）がいずれも同じであるという条件を満たし、かつ互いに同じ録画ビットレートで録画した録画番組が１０個以上あるか否かを判断する。
【００８１】
基準５を満たし、互いに同じ録画ビットレートで録画した録画番組が１０個以上ある場合（ステップＳ４００：ＹＥＳ）、ステップＳ４１０において、マイコン２１は、その基準５を満たす録画番組の録画時の録画ビットレートを、録画対象番組の録画ビットレートとしてエンコーダ１３に設定する。
【００８２】
基準５を満たし、互いに同じ録画ビットレートで録画した録画番組が１０個未満である場合（ステップＳ４００：ＮＯ）、ステップＳ４２０において、マイコン２１は、番組情報および録画履歴情報に基づいて、記録媒体１６に録画した録画番組の中に、図１９に示す基準６を満たし、互いに同じ録画ビットレートで録画した録画番組が１０個以上あるか否かを判断する。つまり、録画対象番組とジャンルおよび録画時間（長さ）が同じであるという条件を満たし、かつ互いに同じ録画ビットレートで録画した録画番組が１０個以上あるか否かを判断する。
【００８３】
基準６を満たし、互いに同じ録画ビットレートで録画した録画番組が１０個以上ある場合（ステップＳ４２０：ＹＥＳ）、ステップＳ４３０において、マイコン２１は、その基準６を満たす録画番組の録画時の録画ビットレートを、録画対象番組の録画ビットレートとしてエンコーダ１３に設定する。
【００８４】
基準６を満たし、互いに同じ録画ビットレートで録画した録画番組が１０個未満である場合（ステップＳ４２０：ＮＯ）、ステップＳ１９０に進み、マイコン２１は、デフォルトの録画ビットレートをエンコーダ１３に設定する。
【００８５】
ステップＳ３００の判断の結果、録画ビットレートを変更しなかった場合（ステップＳ３００：ＮＯ）、ステップＳ４４０において、マイコン２１は、番組情報および録画履歴情報に基づいて、記録媒体１６に録画した録画番組の中に、基準３を満たし、互いに同じ録画ビットレートで録画した録画番組が５つ以上あるか否かを判断する。
【００８６】
基準３を満たし、互いに同じ録画ビットレートで録画した録画番組が５つ以上ある場合（ステップＳ４４０：ＹＥＳ）、ステップＳ４８０に進む。基準３を満たし、互いに同じ録画ビットレートで録画した録画番組が５つ未満である場合（ステップＳ４４０：ＮＯ）、ステップＳ４５０において、マイコン２１は、番組情報および録画履歴情報に基づいて、記録媒体１６に録画した録画番組の中に、基準４を満たし、互いに同じ録画ビットレートで録画した録画番組が５つ以上あるか否かを判断する。
【００８７】
基準４を満たし、互いに同じ録画ビットレートで録画した録画番組が５つ以上ある場合（ステップＳ４５０：ＹＥＳ）、ステップＳ５１０に進む。基準４を満たし、互いに同じ録画ビットレートで録画した録画番組が５つ未満である場合（ステップＳ４５０：ＮＯ）、ステップＳ４６０において、マイコン２１は、番組情報および録画履歴情報に基づいて、記録媒体１６に録画した録画番組の中に、基準５を満たし、互いに同じ録画ビットレートで録画した録画番組が１０個以上あるか否かを判断する。
【００８８】
基準５を満たし、互いに同じ録画ビットレートで録画した録画番組が１０個以上ある場合（ステップＳ４６０：ＹＥＳ）、ステップＳ５４０に進む。基準５を満たし、互いに同じ録画ビットレートで録画した録画番組が１０個未満である場合（ステップＳ４６０：ＮＯ）、ステップＳ４７０において、マイコン２１は、番組情報および録画履歴情報に基づいて、記録媒体１６に録画した録画番組の中に、基準６を満たし、互いに同じ録画ビットレートで録画した録画番組が１０個以上あるか否かを判断する。
【００８９】
基準６を満たし、互いに同じ録画ビットレートで録画した録画番組が１０個以上ある場合（ステップＳ４７０：ＹＥＳ）、ステップＳ５７０に進む。基準６を満たし、互いに同じ録画ビットレートで録画した録画番組が１０個未満である場合（ステップＳ４７０：ＮＯ）、ステップＳ１９０に進み、マイコン２１は、デフォルトの録画ビットレートをエンコーダ１３に設定する。
【００９０】
ステップＳ４４０の判断の結果、基準３を満たし、互いに同じ録画ビットレートで録画した録画番組が５つ以上である場合（ステップＳ４４０：ＹＥＳ）、ステップＳ４８０において、マイコン２１は、番組情報および録画履歴情報を参照して、記録媒体１６からリムーバブルメディア２４にダビングした、録画対象番組と同じジャンルの録画番組が、基準３を満たす録画番組であるか否かを判断する。基準３を満たす録画番組である場合（ステップＳ４８０：ＹＥＳ）、ステップＳ４９０に進む。基準３を満たす録画番組でない場合（ステップＳ４８０：ＮＯ）、ステップＳ１９０に進み、マイコン２１は、デフォルトの録画ビットレートをエンコーダ１３に設定する。
【００９１】
ステップＳ４９０では、マイコン２１は、番組情報、録画履歴情報、および再録画情報に基づいて、今回の録画対象番組を記録媒体１６に録画した後、当該録画対象番組と同じジャンルの番組がダビングされたリムーバブルメディア２４に録画対象番組をダビングした場合に、その残容量が所定時間（例えば１０分間）未満であるか否かを判断する。
【００９２】
残容量が所定時間未満である場合（ステップＳ４９０：ＹＥＳ）、ステップＳ５００において、マイコン２１は、録画履歴情報および再録画情報を参照して、基準３を満たす録画番組のダビング時の録画ビットレートを、録画対象番組の録画ビットレートとしてエンコーダ１３に設定する。ここでは、ダビング時の録画ビットレートは録画時の録画ビットレートと同じである。
【００９３】
リムーバブルメディア２４の残容量が所定時間以上である場合（ステップＳ４９０：ＮＯ）、ステップＳ２４０に進み、マイコン２１は、今回の録画対象番組を記録媒体１６に録画した後、当該録画対象番組と同じジャンルの録画番組がダビングされたリムーバブルメディア２４に録画対象番組をダビングした場合に、その残容量が所定時間になるように録画ビットレートを決定してエンコーダ１３に設定する。
【００９４】
ステップＳ４５０の判断の結果、基準４を満たし、互いに同じ録画ビットレートで録画した録画番組が５つ以上である場合（ステップＳ４５０：ＹＥＳ）、ステップＳ５１０において、マイコン２１は、番組情報および録画履歴情報を参照して、記録媒体１６からリムーバブルメディア２４にダビングした、録画対象番組と同じジャンルの録画番組が、基準４を満たす録画番組であるか否かを判断する。基準４を満たす録画番組である場合（ステップＳ５１０：ＹＥＳ）、ステップＳ５２０に進む。基準４を満たす録画番組でない場合（ステップＳ５１０：ＮＯ）、ステップＳ１９０に進み、マイコン２１は、デフォルトの録画ビットレートをエンコーダ１３に設定する。
【００９５】
ステップＳ５２０では、マイコン２１は、番組情報、録画履歴情報、および再録画情報に基づいて、今回の録画対象番組を記録媒体１６に録画した後、当該録画対象番組と同じジャンルの番組がダビングされたリムーバブルメディア２４に録画対象番組をダビングした場合に、その残容量が所定時間未満であるか否かを判断する。
【００９６】
残容量が所定時間未満である場合（ステップＳ５２０：ＹＥＳ）、ステップＳ５３０において、マイコン２１は、録画履歴情報および再録画情報を参照して、基準４を満たす録画番組のダビング時の録画ビットレートを、録画対象番組の録画ビットレートとしてエンコーダ１３に設定する。ここでは、ダビング時の録画ビットレートは録画時の録画ビットレートと同じである。
【００９７】
リムーバブルメディア２４の残容量が所定時間以上である場合（ステップＳ５２０：ＮＯ）、上述のステップＳ２４０の処理により録画ビットレートが設定される。
【００９８】
ステップＳ４６０の判断の結果、基準５を満たし、互いに同じ録画ビットレートで録画した録画番組が１０個以上である場合（ステップＳ４６０：ＹＥＳ）、ステップＳ５４０において、マイコン２１は、番組情報および録画履歴情報を参照して、記録媒体１６からリムーバブルメディア２４にダビングした、録画対象番組と同じジャンルの番組が、基準５を満たす録画番組であるか否かを判断する。基準５を満たす録画番組である場合（ステップＳ５４０：ＹＥＳ）、ステップＳ５５０に進む。基準５を満たす録画番組でない場合（ステップＳ５４０：ＮＯ）、ステップＳ１９０に進み、マイコン２１は、デフォルトの録画ビットレートをエンコーダ１３に設定する。
【００９９】
ステップＳ５５０では、マイコン２１は、番組情報、録画履歴情報、および再録画情報に基づいて、今回の録画対象番組を記録媒体１６に録画した後、当該録画対象番組と同じジャンルの番組がダビングされたリムーバブルメディア２４に録画対象番組をダビングした場合に、その残容量が所定時間未満であるか否かを判断する。
【０１００】
残容量が所定時間未満である場合（ステップＳ５５０：ＹＥＳ）、ステップＳ５６０において、マイコン２１は、録画履歴情報および再録画情報を参照して、基準５を満たす録画番組のダビング時の録画ビットレートを、録画対象番組の録画ビットレートとしてエンコーダ１３に設定する。ここでは、ダビング時の録画ビットレートは録画時の録画ビットレートと同じである。
【０１０１】
リムーバブルメディア２４の残容量が所定時間以上である場合（ステップＳ５５０：ＮＯ）、上述のステップＳ２４０の処理により録画ビットレートが設定される。
【０１０２】
ステップＳ４７０の判断の結果、基準６を満たし、互いに同じ録画ビットレートで録画した録画番組が１０個以上である場合（ステップＳ４７０：ＹＥＳ）、ステップＳ５７０において、マイコン２１は、番組情報および録画履歴情報を参照して、記録媒体１６からリムーバブルメディア２４にダビングした、録画対象番組と同じジャンルの番組が、基準５を満たす録画番組であるか否かを判断する。基準５を満たす録画番組である場合（ステップＳ５７０：ＹＥＳ）、ステップＳ５８０に進む。基準５を満たす録画番組でない場合（ステップＳ５７０：ＮＯ）、ステップＳ１９０に進み、マイコン２１は、デフォルトの録画ビットレートをエンコーダ１３に設定する。
【０１０３】
ステップＳ５８０では、マイコン２１は、番組情報、録画履歴情報、および再録画情報に基づいて、今回の録画対象番組を記録媒体１６に録画した後、当該録画対象番組と同じジャンルの番組がダビングされたリムーバブルメディア２４に録画対象番組をダビングした場合に、その残容量が所定時間未満であるか否かを判断する。
【０１０４】
残容量が所定時間未満である場合（ステップＳ５８０：ＹＥＳ）、ステップＳ５９０において、マイコン２１は、録画履歴情報および再録画情報を参照して、基準５を満たす録画番組のダビング時の録画ビットレートを、録画対象番組の録画ビットレートとしてエンコーダ１３に設定する。ここでは、ダビング時の録画ビットレートは録画時の録画ビットレートと同じである。
【０１０５】
リムーバブルメディア２４の残容量が所定時間以上である場合（ステップＳ５８０：ＮＯ）、上述のステップＳ２４０の処理により録画ビットレートが設定される。
【０１０６】
ステップＳ３２０の判断の結果、録画対象番組と同じジャンルの複数の番組を１枚のリムーバブルメディアにダビングした場合（ステップＳ３２０：ＹＥＳ）、ステップＳ６００において、マイコン２１は、番組情報および録画履歴情報に基づいて、記録媒体１６に録画した録画番組の中に、基準３を満たし、互いに同じ録画ビットレートで録画した録画番組が５つ以上あるか否かを判断する。
【０１０７】
基準３を満たし、互いに同じ録画ビットレートで録画した録画番組が５つ以上ある場合（ステップＳ６００：ＹＥＳ）、ステップＳ６４０に進む。基準３を満たし、互いに同じ録画ビットレートで録画した録画番組が５つ未満である場合（ステップＳ６００：ＮＯ）、ステップＳ６１０において、マイコン２１は、番組情報および録画履歴情報に基づいて、記録媒体１６に録画した録画番組の中に、基準４を満たし、互いに同じ録画ビットレートで録画した録画番組が５つ以上あるか否かを判断する。
【０１０８】
基準４を満たし、互いに同じ録画ビットレートで録画した録画番組が５つ以上ある場合（ステップＳ６１０：ＹＥＳ）、ステップＳ６６０に進む。基準４を満たし、互いに同じ録画ビットレートで録画した録画番組が５つ未満である場合（ステップＳ６１０：ＮＯ）、ステップＳ６２０において、マイコン２１は、番組情報および録画履歴情報に基づいて、記録媒体１６に録画した録画番組の中に、基準５を満たし、互いに同じ録画ビットレートで録画した録画番組が１０個以上あるか否かを判断する。
【０１０９】
基準５を満たし、互いに同じ録画ビットレートで録画した録画番組が１０個以上ある場合（ステップＳ６２０：ＹＥＳ）、ステップＳ６８０に進む。基準５を満たし、互いに同じ録画ビットレートで録画した録画番組が１０個未満である場合（ステップＳ６２０：ＮＯ）、ステップＳ６３０において、マイコン２１は、番組情報および録画履歴情報に基づいて、記録媒体１６に録画した録画番組の中に、基準６を満たし、互いに同じ録画ビットレートで録画した録画番組が１０個以上あるか否かを判断する。
【０１１０】
基準６を満たし、互いに同じ録画ビットレートで録画した録画番組が１０個以上ある場合（ステップＳ６３０：ＹＥＳ）、ステップＳ７００に進む。基準６を満たし、互いに同じ録画ビットレートで録画した録画番組が１０個未満である場合（ステップＳ６３０：ＮＯ）、ステップＳ１９０に進み、マイコン２１は、デフォルトの録画ビットレートをエンコーダ１３に設定する。
【０１１１】
ステップＳ６００の判断の結果、基準３を満たし、互いに同じ録画ビットレートで録画した録画番組が５つ以上である場合（ステップＳ６００：ＹＥＳ）、ステップＳ６４０において、マイコン２１は、録画履歴情報を参照して、記録媒体１６から１枚のリムーバブルメディア２４にダビングした、録画対象番組と同じジャンルの複数の録画番組に、基準３を満たす録画番組が含まれているか否かを判断する。基準３を満たす録画番組が含まれている場合（ステップＳ６４０：ＹＥＳ）、ステップＳ６５０に進む。基準３を満たす録画番組が含まれていない場合（ステップＳ６４０：ＮＯ）、ステップＳ１９０に進み、マイコン２１は、デフォルトの録画ビットレートをエンコーダ１３に設定する。
【０１１２】
ステップＳ６５０では、マイコン２１は、録画履歴情報および再録画情報を参照して、１枚のリムーバブルメディア２４にダビングした基準３を満たす録画番組のダビング時の録画ビットレートがすべて同じであるか否かを判断する。
【０１１３】
録画ビットレートがすべて同じである場合（ステップＳ６５０：ＹＥＳ）、ステップＳ４９０において、マイコン２１は、番組情報、録画履歴情報、および再録画情報に基づいて、今回の録画対象番組を記録媒体１６に録画した後、当該録画対象番組と同じジャンルの基準３を満たす複数の番組がダビングされたリムーバブルメディア２４に録画対象番組をダビングした場合に、その残容量が所定時間未満であるか否かを判断する。ここで、残容量の算出には、録画番組を編集してダビングした後の録画時間を、録画対象番組のダビング時の録画時間として用いる。
【０１１４】
そして、ステップＳ５００において、マイコン２１は、録画履歴情報および再録画情報を参照して、基準３を満たす録画番組のダビング時の録画ビットレートを、録画対象番組の録画ビットレートとしてエンコーダ１３に設定する。
【０１１５】
ステップＳ６１０の判断の結果、基準４を満たし、互いに同じ録画ビットレートで録画した録画番組が５つ以上である場合（ステップＳ６１０：ＹＥＳ）、ステップＳ６６０において、マイコン２１は、番組情報および録画履歴情報を参照して、記録媒体１６から１枚のリムーバブルメディア２４にダビングした、録画対象番組と同じジャンルの複数の録画番組に、基準４を満たす録画番組が含まれているか否かを判断する。基準４を満たす録画番組が含まれている場合（ステップＳ６６０：ＹＥＳ）、ステップＳ６７０に進む。基準４を満たす録画番組が含まれていない場合（ステップＳ６６０：ＮＯ）、ステップＳ１９０に進み、マイコン２１は、デフォルトの録画ビットレートをエンコーダ１３に設定する。
【０１１６】
ステップＳ６７０では、マイコン２１は、録画履歴情報および再録画情報を参照して、１枚のリムーバブルメディア２４にダビングした基準４を満たす録画番組のダビング時の録画ビットレートがすべて同じであるか否かを判断する。
【０１１７】
録画ビットレートがすべて同じである場合（ステップＳ６７０：ＹＥＳ）、ステップＳ５２０において、マイコン２１は、番組情報、録画履歴情報、および再録画情報に基づいて、今回の録画対象番組を記録媒体１６に録画した後、当該録画対象番組と同じジャンルの基準４を満たす複数の録画番組がダビングされたリムーバブルメディア２４に録画対象番組をダビングした場合に、その残容量が所定時間未満であるか否かを判断する。ここで、残容量の算出には、録画番組を編集してダビングした後の録画時間を、録画対象番組のダビング時の録画時間として用いる。
【０１１８】
そして、ステップＳ５３０において、マイコン２１は、録画履歴情報および再録画情報を参照して、基準４を満たす録画番組のダビング時の録画ビットレートを、録画対象番組の録画ビットレートとしてエンコーダ１３に設定する。
【０１１９】
ステップＳ６２０の判断の結果、基準５を満たし、互いに同じ録画ビットレートで録画した録画番組が１０個以上である場合（ステップＳ６２０：ＹＥＳ）、ステップＳ６８０において、マイコン２１は、番組情報および録画履歴情報を参照して、記録媒体１６から１枚のリムーバブルメディア２４にダビングした、録画対象番組と同じジャンルの複数の録画番組に、基準５を満たす録画番組が含まれているか否かを判断する。基準５を満たす録画番組が含まれている場合（ステップＳ６８０：ＹＥＳ）、ステップＳ６９０に進む。基準５を満たす録画番組が含まれていない場合（ステップＳ６８０：ＮＯ）、ステップＳ１９０に進み、マイコン２１は、デフォルトの録画ビットレートをエンコーダ１３に設定する。
【０１２０】
ステップＳ６９０では、マイコン２１は、録画履歴情報および再録画情報を参照して、１枚のリムーバブルメディア２４にダビングした基準５を満たす録画番組のダビング時の録画ビットレートがすべて同じであるか否かを判断する。
【０１２１】
録画ビットレートがすべて同じである場合（ステップＳ６９０：ＹＥＳ）、ステップＳ５５０において、マイコン２１は、番組情報、録画履歴情報、および再録画情報に基づいて、今回の録画対象番組を記録媒体１６に録画した後、当該録画対象番組と同じジャンルの基準５を満たす複数の録画番組がダビングされたリムーバブルメディア２４に録画対象番組をダビングした場合に、その残容量が所定時間未満であるか否かを判断する。ここで、残容量の算出には、録画番組を編集してダビングした後の録画時間を、録画対象番組のダビング時の録画時間として用いる。
【０１２２】
そして、ステップＳ５６０において、マイコン２１は、録画履歴情報および再録画情報を参照して、基準５を満たす録画番組のダビング時の録画ビットレートを、録画対象番組の録画ビットレートとしてエンコーダ１３に設定する。
【０１２３】
ステップＳ６３０の判断の結果、基準６を満たし、互いに同じ録画ビットレートで録画した録画番組が１０個以上である場合（ステップＳ６３０：ＹＥＳ）、ステップＳ７００において、マイコン２１は、番組情報および録画履歴情報を参照して、記録媒体１６から１枚のリムーバブルメディア２４にダビングした、録画対象番組と同じジャンルの複数の録画番組に、基準６を満たす録画番組が含まれているか否かを判断する。基準６を満たす録画番組が含まれている場合（ステップＳ７００：ＹＥＳ）、ステップＳ７１０に進む。基準６を満たす録画番組が含まれていない場合（ステップＳ７００：ＮＯ）、ステップＳ１９０に進み、マイコン２１は、デフォルトの録画ビットレートをエンコーダ１３に設定する。
【０１２４】
ステップＳ７１０では、マイコン２１は、録画履歴情報および再録画情報を参照して、１枚のリムーバブルメディア２４にダビングした基準６を満たす録画番組のダビング時の録画ビットレートがすべて同じであるか否かを判断する。
【０１２５】
録画ビットレートがすべて同じである場合（ステップＳ７１０：ＹＥＳ）、ステップＳ５８０において、マイコン２１は、番組情報、録画履歴情報、および再録画情報に基づいて、今回の録画対象番組を記録媒体１６に録画した後、当該録画対象番組と同じジャンルの基準６を満たす複数の録画番組がダビングされたリムーバブルメディア２４に録画対象番組をダビングした場合に、その残容量が所定時間未満であるか否かを判断する。ここで、残容量の算出には、録画番組を編集してダビングした後の録画時間を、録画対象番組のダビング時の録画時間として用いる。
【０１２６】
そして、ステップＳ５９０において、マイコン２１は、録画履歴情報および再録画情報を参照して、基準６を満たす録画番組のダビング時の録画ビットレートを、録画対象番組の録画ビットレートとしてエンコーダ１３に設定する。
【０１２７】
ステップＳ３２０の判断の結果、録画対象番組と同じジャンルの複数の録画番組を１枚のリムーバブルメディアにダビングしなかった場合（ステップＳ３２０：ＮＯ）、上述のステップＳ４４０以降の処理により録画ビットレートが設定されるが、残容量の算出には、録画番組を編集してダビングした後の録画時間を、録画対象番組のダビング時の録画時間として用いる。
【０１２８】
ステップＳ３３０の判断の結果、録画対象番組と同じジャンルの複数の録画番組を１枚のリムーバブルメディアにダビングした場合（ステップＳ３３０：ＹＥＳ）、上述のステップＳ６００以降の処理により録画ビットレートが設定される。録画対象番組と同じジャンルの複数の録画番組を１枚のリムーバブルメディアにダビングしなかった場合（ステップＳ３３０：ＮＯ）、上述のステップＳ４４０以降の処理により録画ビットレートが設定される。ここでは、リムーバブルメディア２４の残容量の算出には、編集していない録画番組のダビング後の録画時間を、録画対象番組のダビング時の録画時間として用いる。
【０１２９】
上記説明のように本実施の形態では、録画対象番組と同じ番組名または同じジャンルの番組を記録媒体１６に録画したことがあるか否か、記録媒体１６に録画した録画番組をリムーバブルメディア２４にダビングしたことがあるか否か、ダビング時に録画ビットレートを変更したか否か、ダビング時にＣＭカットなどの編集を行ったか否か、１枚のリムーバブルメディアに複数の同じ番組名または同じジャンルの録画番組をダビングしたか否か、等の条件を考慮して、録画対象番組の録画ビットレートを自動設定することができる。
【０１３０】
したがって、ユーザのダビング操作時の嗜好を反映し、ユーザの意思通りの録画ビットレートを容易に設定することができる。また、低品質、過剰品質の録画を防止することができ、録画に必要な容量を無駄に使用することを回避することができる。また、ダビング時に編集を行った場合でも、複数の同じ番組名または同じジャンルの録画番組を、１枚のリムーバブルメディアに収めるようにダビングすることができる。
【図面の簡単な説明】
【０１３１】
【図１】本発明の実施の形態に係る録画装置の構成を示すブロック図である。
【図２】図１に示す録画装置の録画時の動作を示すフローチャートである。
【図３】図１に示す録画装置で録画ビットレートを自動設定する手順を示すフローチャートである。
【図４】図１に示す録画装置で録画ビットレートを自動設定する手順を示すフローチャートである。
【図５】図１に示す録画装置で録画ビットレートを自動設定する手順を示すフローチャートである。
【図６】図１に示す録画装置で録画ビットレートを自動設定する手順を示すフローチャートである。
【図７】図１に示す録画装置で録画ビットレートを自動設定する手順を示すフローチャートである。
【図８】図１に示す録画装置で録画ビットレートを自動設定する手順を示すフローチャートである。
【図９】図１に示す録画装置で録画ビットレートを自動設定する手順を示すフローチャートである。
【図１０】図１に示す録画装置で録画ビットレートを自動設定する手順を示すフローチャートである。
【図１１】図１に示す録画装置で録画ビットレートを自動設定する手順を示すフローチャートである。
【図１２】図１に示す録画装置で録画ビットレートを自動設定する手順を示すフローチャートである。
【図１３】図１に示す録画装置で録画ビットレートを自動設定する手順を示すフローチャートである。
【図１４】図１に示す録画装置で録画ビットレートを自動設定する手順を示すフローチャートである。
【図１５】図１に示す録画装置で録画ビットレートを自動設定する手順を示すフローチャートである。
【図１６】図１に示す録画装置で録画ビットレートを自動設定する手順を示すフローチャートである。
【図１７】図１に示す録画装置で録画ビットレートを自動設定する手順を示すフローチャートである。
【図１８】図１に示す録画装置で録画ビットレートを自動設定する手順を示すフローチャートである。
【図１９】録画ビットレートの自動設定に用いる基準を示す表図である。
【符号の説明】
【０１３２】
１０  録画装置
１１  チューナ
１２  Ａ／Ｄ変換器
１３  エンコーダ
１４  バッファ
１５  データ制御部
１６  記録媒体
１７  ディスクドライブ
１８  デコーダ
１９  Ｄ／Ａ変換器
２０  ＥＰＧ処理部
２１  マイクロコンピュータ
２２  記憶部
２３  受光部
２４  リムーバブルメディア
３０  アンテナ
４０  テレビ受像機
【図１】
2009284063.tif 000003
【図２】
2009284063.tif 000004
【図３】
2009284063.tif 000005
【図４】
2009284063.tif 000006
【図５】
2009284063.tif 000007
【図６】
2009284063.tif 000008
【図７】
2009284063.tif 000009
【図８】
2009284063.tif 000010
【図９】
2009284063.tif 000011
【図１０】
2009284063.tif 000012
【図１１】
2009284063.tif 000013
【図１２】
2009284063.tif 000014
【図１３】
2009284063.tif 000015
【図１４】
2009284063.tif 000016
【図１５】
2009284063.tif 000017
【図１６】
2009284063.tif 000018
【図１７】
2009284063.tif 000019
【図１８】
2009284063.tif 000020
【図１９】
2009284063.tif 000021